(57)【要約】【課題】  従来、ナイロンカッタを装備する草刈機では、ナイロンカッタが磨耗し、草刈りが困難となった場合、回転ケース内のボビン（巻取り機構）より予備のナイロンカッタを繰出す所作が必要となる。この場合、自動的にボビンの回転で、ナイロンカッタを繰出す構造がある。しかし、ハウジング、又はカバーの取外しに課題を抱えている。【構成】  本発明は、引掛け孔と、草刈機の回転軸に取付けられる螺子部を備えたハウジングと、環状の貫通孔と、貫通孔の上下部に設けた第一・第二係止片、並びに取付孔を有する上底部と、周辺部に溝を備えたボビンと、ボビンに挿入され、外周面に第一・第二突条を備えたクラッチと、スプリング、止め螺子と、底部に立設した環状壁、引掛け片、並びにスリットに嵌着したガイドピース、及び孔を備えたカバーで構成した自動繰出し可能な回転ケース。【選択図】  図１
2010119353.tif 000002
【特許請求の範囲】
【請求項１】
ハウジング本体の上壁に対で設けた引掛け孔と、その中心に草刈機の回転軸に取付けられる螺子部を備えた椀形のハウジングと、
このハウジングの上壁内面に添接される上面を備えた本体部に設けた環状の貫通孔と、この貫通孔の上部に差渡して多数本の第一係止片、並びにこの貫通孔の中心に設けた上底部と、この上底部を貫設する取付孔と、さらに、前記貫通孔の下部に設けた第二係止片と、また、この本体部の周辺部にナイロンカッタを捲装する二条の溝を備えたボビンと、
このボビンの貫通孔の下方に挿入される、外周面に位相を変えて設けた複数の第一・第二突条を備えたクラッチと、
このクラッチと、前記ボビンの上底部に設けられたスプリングと、
このスプリングが挿入されたこのボビンに、前記クラッチを取付ける前記上底部の取付孔より挿入された止め螺子と、
また、皿状のカバー本体の底部に設けた環状壁と、この環状壁に設けた前記ハウジングの引掛け孔に挿入される対の引掛け片、並びにスリットに嵌着したナイロンカッタ挿入用のガイドピースと、また、この底部に前記クラッチ挿入用に開設された孔と、この孔の内周面に係止溝を備えたカバーと、で構成し、
前記第一係止片間に、前記第二係止片を設けるとともに、この第一係止片と第二係止片は、前記貫通孔の円周方向において、位相を変えて設ける構成とすることで、前記クラッチが押圧された場合に、このクラッチの第一突条が、前記第一・第二係止片間を可動し、前記ボビンが回転する構成とした草刈機のナイロンカッタの繰出し機構を備えた回転ケース。
【請求項２】
請求項１に記載の草刈機のナイロンカッタの繰出し機構を備えた回転ケースであって、
このガイドピースの幅は、前記カバーに設けた二条構造の環状壁の環状方向の肉厚と、略同じ寸法とする構成とした草刈機のナイロンカッタの繰出し機構を備えた回転ケース。
【請求項３】
請求項２に記載の草刈機のナイロンカッタの繰出し機構を備えた回転ケースであって、
このカバー本体の二条構造の環状壁に設けた引掛け片は、前記環状壁の外側壁片の一部に設けた複数の切欠き部に形成する構成とした草刈機のナイロンカッタの繰出し機構を備えた回転ケース。
【請求項４】
請求項１に記載の草刈機のナイロンカッタの繰出し機構を備えた回転ケースであって、
このハウジングは、椀形のハウジング本体と、このハウジング本体の上壁と、当該ハウジングの外周辺より垂下した外壁とする構成とした草刈機のナイロンカッタの繰出し機構を備えた回転ケース。
【請求項５】
請求項１に記載の草刈機のナイロンカッタの繰出し機構を備えた回転ケースであって、
前記引掛け片は、平面視して、略鍔片とするとともに、この略鍔片の回転方向側の端部には、この端側に向って、半月状に切欠いて、回転誘導を図る曲面部を形成する構成とした草刈機のナイロンカッタの繰出し機構を備えた回転ケース。
【発明の詳細な説明】
【技術分野】
【０００１】
本発明は、草刈機のナイロンカッタ（ナイロンコード）の繰出し機構を備えた回転ケースに関する。
【背景技術】
【０００２】
従来、ナイロンカッタを装備する草刈機の回転ケースの場合は、使用により、このナイロンカッタが磨耗で短くなり、草刈りに困難となった場合には、この回転ケース内のボビン（巻取り機構）より予備のナイロンカッタを繰出す所作が必要となる。この場合には、ボビンへの操作（地面に叩きつける操作）で、このボビンを回転し、この回転で自動的にナイロンカッタを繰出す構造と、ボビンを手動操作で回転して繰出す構造とが知られている。この中で、ボビンへの操作を介して、自動的に繰出す構造を、先行文献を利用して説明する。以下、その概要を説明する。
【０００３】
文献（１）は、特開平３−１９５４１０号の「弾性ライントリマーの簡略化されたパンプ供給型切断ヘッド組体」である。この発明は、草刈機の回転軸を取付ける取付孔（取付け部）と、錠止開口（引掛け孔）を備えた椀形の切断ヘッド組体（ハウジング）と、この切断ヘッド組体の貫通筒内に挿入される矩形断面の歯部材（第一突条）を外周面に備えたライン放出ボタン（クラッチ）と、このライン放出ボタンに外嵌される内壁に矩形断面の歯部材（第一係止片）と、矩形断面の歯部材（第二係止片）を備え、かつその外周面にライン（ナイロンカッタ）を捲装する二条の溝を備えたライン収納スプール（ボビン）と、前記切断ヘッド組体の錠止開口に係止される錠止ダブ（引掛け片）と、貫通孔を備えたカバー本体（カバー）で構成し、前記ライン収納スプールの矩形断面の歯部材と、ライン放出ボタンの矩形断面の歯部材の係合を介して、このライン収納スプールを回転し、ラインを自動放出して（繰出して）繰出し可能とする。この文献（１）の特徴は、ライン放出ボタンの押圧（殴打）を利用して、ラインを繰出すことと、この殴打作業の繰返しを介して、繰出し長さを調整できることである。
【０００４】
また、この文献（２）は、特開平６−３０６２６号の「コード型草刈機の刈刃装置におけるコード繰出し機構」である。この発明の構造は、ボビンの上下鍔片の表面、裏面に、第一係止爪と、第二係止爪を突設し、このボビン内に遊嵌し、かつ回転ケース（ハウジンク）に摺動自在に設けた殴打部を備えた切換部材と、この切換部材の外周壁に設けた被係止爪と、回転ケースと、カバーとの間に設けた、前記切換部材を付勢するスプリングとで構成し、この回転ケースの引掛け孔に、カバーの引掛け片を嵌入係止して、一体化し、草刈機の本体部を構成するとともに、切換部材の殴打部を、このカバーより突出する構成とする。そして、この殴打部の殴打を介して、この殴打部をカバー内に嵌入し、第二係止爪と被係止爪との係合開放を介して、ボビンを回転し、また、第一係止爪と被係止爪との係合を介して、ボビンの回転停止を図り、この係合開放の瞬間から、係合の間に、ナイロンカッタを、繰出し可能とする。この文献（２）の特徴は、ボビンと切換部材との回転速度差を利用し、ナイロンカッタの繰出し、またこの殴打作業の繰返しを介して、繰出し長さを調整できることである。
【０００５】
また、文献（３）は、特開２００５−１２４５０１の「刈払機のコード繰出し装置およびコード繰出し装置におけるコードの配索方法」である。この発明の構造は、ケース蓋（ハウジング）の上壁内面に押爪を、ケース本体（カバー）の底壁に係合凹部を、それぞれ突設し、このハウジングとカバーとの間に可動自在に設け、かつ押圧部を備えたボビン（リール部材）の上下壁の表裏面に、前進爪と係合凸部を設け、このケース蓋と、ボビンとの間に、押圧部を付勢するスプリングを介設し、このボビンの押圧部が、ケース本体より突出する構成とし、このケース蓋の引掛け孔に、カバー本体の引掛け片を嵌入係止して、一体化し、草刈機の本体部を構成するとともに、押圧部の殴打を介して、この押圧部をケース本体内に嵌入し、係合凹部と係合凸部との係合開放と、ボビンを回転しつつ、押爪と前進爪との係合を介して、ボビンを回転するとともに、この係合開放の瞬間から、係合の間に、ナイロンカッタを、繰出し可能とする。この文献（３）の特徴は、皿状のカバーにナイロンカッタの挿通孔を開設したので、外装ケース（ケース本体とケース蓋とで構成する）内に、埃、土、草が侵入しないことにある。
【０００６】
【特許文献１】特開平３−１９５４１０号
【特許文献２】特開平６−３０６２６号
【特許文献３】特開２００５−１２４５０１
【発明の開示】
【発明が解決しようとする課題】
【０００７】
前記文献（１）〜文献（３）は、何れも、ハウジングとカバーの一体化を、引掛け孔と引掛け片で構成する。従って、この引掛け片の基部を押圧し、この引掛け片の爪部を、引掛け孔の端部より離間し、ハウジングとカバーが遊離された状態で、このカバーをハウジングより取外す構造である。従って、指先に力を要することと、カバーを覆うようにして、このカバーに手を添接する所作が必要となり、厄介であることと、手かぜ比較的小さい、婦人、男性では、このカバーの取外し作業に難渋する虞があった。この改良が、強く望まれている。
【０００８】
上記に鑑み、本発明は、次の効果がある草刈機のナイロンカッタの繰出し機構を備えた回転ケースを提供する。
【０００９】
「１」  カバーを回転することで、引掛け孔と引掛け片の係合状態を開放し、簡単で、かつスムーズに、カバーを取外し、かつボビン及び／又はナイロンカッタの取替えができる草刈機のナイロンカッタの繰出し機構を備えた回転ケース。
【００１０】
「２」  また、草刈機を回転しながら、クラッチの殴打を介して、ボビンを回転し、ナイロンカッタを所定長さ、繰出し可能な草刈機のナイロンカッタの繰出し機構を備えた回転ケース。
【００１１】
「３」  ボビンに設けた第一・第二係止片と、クラッチに設けた第一突条との係止及び係止解除を介して、ボビンを回転、回転停止を図る構造であり、確実、かつスムーズなナイロンカッタの繰出し可能な草刈機のナイロンカッタの繰出し機構を備えた回転ケース。
【００１２】
「４」  さらに、スプリングを、ハウジングとクラッチに係止可能とする構造を採用し、ボビンの確実かつスムーズな、挿脱と、上下方向の前後動が図れる草刈機のナイロンカッタの繰出し機構を備えた回転ケース。
【課題を解決するための手段】
【００１３】
請求項１の発明は、前述の「１」〜「４」の効果が期待できる草刈機のナイロンカッタの繰出し機構を備えた回転ケースを提供する。
【００１４】
請求項１は、ハウジング本体の上壁に対で設けた引掛け孔と、その中心に草刈機の回転軸に取付けられる螺子部を備えた椀形のハウジングと、
このハウジングの上壁内面に添接される上面を備えた本体部に設けた環状の貫通孔と、この貫通孔の上部に差渡して多数本の第一係止片、並びにこの貫通孔の中心に設けた上底部と、この上底部を貫設する取付孔と、さらに、前記貫通孔の下部に設けた第二係止片と、また、この本体部の周辺部にナイロンカッタを捲装する二条の溝を備えたボビンと、
このボビンの貫通孔の下方に挿入される、外周面に位相を変えて設けた複数の第一・第二突条を備えたクラッチと、
このクラッチと、前記ボビンの貫通孔に設けられたスプリングと、
このスプリングが挿入されたこのボビンに、前記クラッチを取付ける前記上底部の取付孔より挿入された止め螺子と、
また、皿状のカバー本体の底部に設けた環状壁と、この環状壁に設けた前記ハウジングの引掛け孔に挿入される対の引掛け片、並びにスリットに嵌着したナイロンカッタ挿入用のガイドピースと、また、この底部に前記クラッチ挿入用に開設された孔と、この孔の内周面に係止溝を備えたカバーと、で構成し、
前記第一係止片間に、前記第二係止片を設けるとともに、この第一係止片と第二係止片は、前記貫通孔の円周方向において、位相を変えて設ける構成とすることで、前記クラッチが押圧された場合に、このクラッチの第一突条が、前記第一・第二係止片間を可動し、前記ボビンが回転する構成とした草刈機のナイロンカッタの繰出し機構を備えた回転ケースである。
【００１５】
請求項２の発明は、請求項１の目的を達成することと、この目的を達成するに最適な、ガイドピースを提供することを意図する。
【００１６】
請求項２は、請求項１に記載の草刈機のナイロンカッタの繰出し機構を備えた回転ケースであって、
このガイドピースの幅は、前記カバーに設けた二条構造の環状壁の環状方向の肉厚と、略同じ寸法とする構成とした草刈機のナイロンカッタの繰出し機構を備えた回転ケースである。
【００１７】
請求項３の発明は、請求項２の目的を達成することと、この目的を達成するに最適な、引掛け片を提供することを意図する。
【００１８】
請求項３は、請求項２に記載の草刈機のナイロンカッタの繰出し機構を備えた回転ケースであって、
このカバー本体の二条構造の環状壁に設けた引掛け片は、前記環状壁の外側壁片の一部に設けた複数の切欠き部に形成する構成とした草刈機のナイロンカッタの繰出し機構を備えた回転ケースである。
【００１９】
請求項４の発明は、請求項１の目的を達成することと、この目的を達成するに最適な、ハウジングを提供することを意図する。
【００２０】
請求項４は、請求項１に記載の草刈機のナイロンカッタの繰出し機構を備えた回転ケースであって、
このハウジングは、椀形のハウジング本体と、このハウジング本体の上壁と、当該ハウジングの外周辺より垂下した外壁とする構成とした草刈機のナイロンカッタの繰出し機構を備えた回転ケースである。
【００２１】
請求項５の発明は、請求項１の目的を達成することと、この目的を達成するに最適な、引掛け片を提供することを意図する。
【００２２】
請求項５は、請求項１に記載の草刈機のナイロンカッタの繰出し機構を備えた回転ケースであって、
前記引掛け片は、平面視して、略鍔片とするとともに、この略鍔片の回転方向側の端部には、この端側に向って、半月状に切欠いて、回転誘導を図る曲面部を形成する構成とした草刈機のナイロンカッタの繰出し機構を備えた回転ケースである。
【発明の効果】
【００２３】
請求項１の発明は、ハウジング本体の上壁に設けた引掛け孔と、草刈機の回転軸に取付けられる螺子部を備えた椀形のハウジングと、
本体部に設けた環状の貫通孔と、貫通孔の上部に差渡して第一係止片、並びに取付孔を有する上底部と、貫通孔の下部に設けた第二係止片と、その周辺部にナイロンカッタを捲装する二条の溝を備えたハウジングに収容されるボビンと、
ボビンの貫通孔に挿入され、外周面に位相を変えて設けた第一・第二突条を備えたクラッチと、
クラッチと、ボビンの貫通孔に設けられたスプリングと、
ボビンとクラッチを取付ける止め螺子と、
皿状のカバー本体の底部に立設した環状壁に設け、かつハウジングの引掛け孔に挿入される引掛け片、並びにスリットに嵌着したガイドピースと、また、底部にクラッチ挿入用に開設された孔と、孔の内周面に係止溝を備えたカバーと、で構成し、
第一係止片と第二係止片は、貫通孔に放射方向に位相を変えて設け、クラッチが押圧された場合に、第一突条が、第一・第二係止片間を移動することで、ボビンが回転する構成の草刈機のナイロンカッタの繰出し機構を備えた回転ケースである。
【００２４】
従って、請求項１は、下記の効果を有する。
【００２５】
「１」  カバーを回転することで、引掛け孔と引掛け片の係合状態を開放し、簡単で、かつスムーズに、カバーを取外し、かつボビン及び／又はナイロンカッタの取替えができる草刈機のナイロンカッタの繰出し機構を備えた回転ケースを提供できる。
【００２６】
「２」  また、草刈機を回転しながら、クラッチの殴打を介して、ボビンを回転し、ナイロンカッタを所定長さ、繰出し可能な草刈機のナイロンカッタの繰出し機構を備えた回転ケースを提供できる。
【００２７】
「３」  ボビンに設けた第一・第二係止片と、クラッチに設けた第一突条との係止及び係止解除を介して、ボビンを回転、回転停止を図る構造であり、確実、かつスムーズなナイロンカッタの繰出し可能な草刈機のナイロンカッタの繰出し機構を備えた回転ケースを提供できる。
【００２８】
「４」  さらに、スプリングを、ハウジングとクラッチに係止可能とする構造を採用し、ボビンの確実かつスムーズな、挿脱と、上下方向の前後動が図れる草刈機のナイロンカッタの繰出し機構を備えた回転ケースを提供できる。
【００２９】
請求項２の発明は、請求項１に記載の草刈機のナイロンカッタの繰出し機構を備えた回転ケースであって、
ガイドピースの幅は、カバーに設けた二条構造の環状壁の環状方向の肉厚と、略同じ寸法とする構成の草刈機のナイロンカッタの繰出し機構を備えた回転ケースである。
【００３０】
従って、請求項２は、請求項１の目的を達成できることと、この目的を達成するに最適な、ガイドピースを提供できること等の効果がある。
【００３１】
請求項３の発明は、請求項２に記載の草刈機のナイロンカッタの繰出し機構を備えた回転ケースであって、
カバー本体の二条構造の環状壁に設けた引掛け片は、環状壁の外側壁片の一部に設けた複数の切欠き部に形成する草刈機のナイロンカッタの繰出し機構を備えた回転ケースである。
【００３２】
従って、請求項３は、請求項２の目的を達成できること、この目的を達成するに最適な、引掛け片を提供できること等の効果がある。
【００３３】
請求項４の発明は、請求項１に記載の草刈機のナイロンカッタの繰出し機構を備えた回転ケースであって、
ハウジングは、椀形のハウジング本体と、ハウジング本体の上壁と、ハウジングの外周辺より垂下した外壁で構成した草刈機のナイロンカッタの繰出し機構を備えた回転ケースである。
【００３４】
従って、請求項４は、請求項１の目的を達成できること、この目的を達成するに最適な、ハウジングを提供できること等の効果がある。
【００３５】
請求項５の発明は、請求項１に記載の草刈機のナイロンカッタの繰出し機構を備えた回転ケースであって、
引掛け片は、平面視して、略鍔片とするとともに、略鍔片の回転方向側の端部には、端側に向って、半月状に切欠いて、回転誘導を図る曲面部を形成する草刈機のナイロンカッタの繰出し機構を備えた回転ケースである。
【００３６】
従って、請求項５は、請求項１の目的を達成できること、この目的を達成するに最適な、引掛け片を提供できること等の効果がある。
【発明を実施するための最良の形態】
【００３７】
本発明の一例を説明する。
【００３８】
図面の説明をすると、図１は、草刈機の全体を示した縮尺斜視図、図２は、草刈機の要部の平面斜視図、図３−１は、図２の分解斜視図、図３−２は、図２の分解平面図、図４は、草刈機の要部と、ナイロンカッタとの関係を示した平面斜視図、図５は、草刈機の要部の裏面斜視図、図６−１は、図５の分解斜視図、図６−２は、図５の分解平面図、図７−１は、草刈機の要部のボビンと、ナイロンカッタとの関係を示した平面斜視図、図７−２は、草刈機の要部のカバー、並びにボビンと、ナイロンカッタとの関係を示した平面斜視図、図８は、引掛け片を示した拡大斜視図、図９は、カバーの環状壁のスリットに嵌着したガイドピースの拡大平面図、図１０−１は、草刈機の要部の断面図であり、ボビンが固定状態で、ナイロンカッタが繰出された状態を示した断面図、図１０−２は、草刈機の要部の断面図であり、ボビンが可動状態で、ナイロンカッタが繰出さる状態を示した断面図である。
【００３９】
１は椀形を呈するハウジングで、このハウジング１は、ハウジング本体の上壁１ａに、草刈機Ｍの回転軸４０が螺杆される螺子部２を有する。そして、この上壁１ａより垂下したハウジング本体の周壁１ｂを備える。この上壁１ａと、周壁１ｂで、椀形のハウジング１を形成する。そして、このハウジング１（ハウジング本体）は、回転軸４０に固止されるとともに、この回転軸４０の回転で回転される。そして、このハウジング１の上壁１ａには、対の引掛け孔３、３が開設されている。
【００４０】
５はナイロンカッタ６を捲装する少なくとも二条の溝８を周面部５ａに備えたボビンで、このボビン５には、ハウジング１の上壁１ａ内面１ｃに添接される上面５００を備えた本体部５ｂに設けた環状の貫通孔９と、この貫通孔９の内周面の上部９ａと環状体の上部９ａに差渡し設けた多数本の第一係止片１１、並びにこの貫通孔９の中心に設けた上底部５ｃと、この上底部５ｃを貫設する取付孔１２と、さらに、この貫通孔９の内周面の下部９ｂの内方に設けた第二係止片１３で構成する。そして、このボビン５は、ハウジング１の椀形内に回転自在に装設される。
【００４１】
また、１５は筒状のクラッチで、このクラッチ１５の外周面１５ａに、位相を変え、かつ上下部位の放射方向に複数の第一・第二突条１６、１７を突設する。そして、この第一突条１６は、前記ボビン５の第一係止片１１と、第二係止片１３に係合する。そして、この第一突条１６と、第一係止片１１、及び／又は、第二係止片１３の係合関係を説明する。先ず、この第一突条１６が第一係止片１１に係合する場合は、クラッチ１５が、最もカバー（後述する）内に殴打で陥没した状態であり、このボビン５の逆転を防止し、ナイロンカッタ６の先端部の近傍が、ガイドピース（後述する）内に陥没しないようにし、その後のナイロンカッタ６の繰出しの確実性を確保する。また、第一突条１６が第二係止片１３に係合する場合は、クラッチ１５が、初期（通常）の状態に復帰した状態であり、このボビン５の回転停止を図り、ナイロンカッタ６の繰出し長さを決定することと、草刈が可能な状態である。尚、この第一突条１６が第一係止片１１と第二係止片１３の隙間Ａに位置する場合は（殴打が適確な状態で、かつナイロンカッタ６の繰出しが可能な状態で、カバー内に、クラッチ１５が略真中にある場合は）、クラッチ１５と、ボビン５の係止関係がフリー状態で、このボビン５が回転し、このボビン５に捲装されているナイロンカッタ６が、所定の長さ繰出される。そして、このクラッチ１５は底部１５ｂを地面に殴打する構造であり、また、このクラッチ１５は、その底部１５ｂに設けた螺孔（図示しない）に、ボビン５の取付孔１２より嵌入した止め螺子１８を螺着することで、後述するスプリングを内在した状態で、このボビン５に取付けられる。
【００４２】
図中２０はスプリングで、このスプリング２０は、クラッチ１５の底部１５ｂと、ボビン５の上底部５ｃの間に設けられており、クラッチ１５が殴打された場合に圧縮され、また、この殴打が開放された場合に、復帰するとともに、第一突条１６がボビン５の第二係止片１３に係合する草刈が可能な状態に、クラッチ１５を復帰させる役割を担う構造である。
【００４３】
２２はカバーで、このカバー２２は、皿状のカバー本体２２００の底部２２ａに設けた二条構造の環状壁２３と、この環状壁２３の外側壁片の一部に設けた複数の切欠き部２７に形成した、前記ハウジング１の引掛け孔３に挿入される対の弾性の引掛け片２４（一方で説明する）と、並びにナイロンカッタ６挿入用のガイドピース２５を取付けるスリット２６と、またその底部２２ａに前記クラッチ１５挿入用に開設された孔２８と、この孔２８の内周面２８ａに設けた係止溝３０を備えている。そして、このカバー２２の孔２８には、クラッチ１５の底部１５ｂが挿入され、その第二突条１７が係止溝３０に嵌合される。この嵌合を介して、クラッチ１５のスムーズな前後動（陥没と復帰）が図れる構造である。そして、この引掛け片２４には、平面視して、鍔片２４００（略鍔片とする。また、鍔片２４００は、環状壁２３の曲面と整合する外周面２４００ａを有する）を備えており、この鍔片２４００は、カバー２２の回転方向Ｂ側の端部２４００ｂを、端側に向って、半月状に切欠いて、回転誘導を図る曲面部２４０１を形成する。これにより、この鍔片２４００の爪部２４００ｃを、引掛け孔３の爪部３ａに係止した状態で、カバー２２を回転方向Ｂに回転する際に、この曲面部２４０１からスムーズに押圧されるとともに、この引掛け片２４が軸芯方向に撓んだ状態で、引掛け孔３の爪部３ａから鍔片２４００の爪部２４００ｃが、離間する構造である。そして、このカバー２２の回転を確保するために、前記ガイドピース２５の幅を、環状壁２３の環状方向の肉厚の幅と同じ寸法とし、このガイドピース２５が、カバー２２を回転方向Ｂに回転する際に、回転の邪魔とならない構造とする。
【００４４】
次に、本発明の組付けと、使用の一例を説明すると、ボビン５にスプリング２０を介在して、クラッチ１５を止め螺子１８を取付ける。この状態で、ボビン５の中間鍔片５０１の適宜箇所に、捲装したナイロンカッタ６を引掛け、その両自由端を、ボビン５の放射方向に引出しておく。このナイロンカッタ６を引掛けたボビン５を、草刈機Ｍの回転軸Ｍ１に取付けたハウジング１に挿入するとともに、ナイロンカッタ６の自由端を、カバー２２のガイドピース２５にカバー２２の内（軸芯方向）から外方向へ挿入し、カバー２２の引掛け片２４をハウジング１の引掛け孔３に回転誘導により挿入し、引掛け片２４の爪２４００ｃを、引掛け孔３の爪部３ａに係止する。この作業で、回転軸４０に草刈機（ハウジング１、スプリング２０と、クラッチ１５及びボビン５、並びにカバー２２を具備する回転ケース）が取付けられる。図中５０２は外側鍔片を示す。
【００４５】
この状態は、図１０−１に示した通りであり、ボビン５がスプリング２０の付勢力で、下限位置にあり、そのクラッチ１５の第ニ突条１７が、カバー２２の係止溝３０に係合するとともに、このクラッチ１５の第一突条１６が、ボビン５の第二係止片１３に係合することで、このクラッチ１５及びボビン５と、カバー２２が同時に高速回転し、かつこのカバー２２と一体のハウジング１も高速回転する。この高速回転を介して、ナイロンカッタ６の端部で、草や稲、小木を刈り取る構造である。
【００４６】
以上の状態で、草や稲、小木の刈り取り行い、ナイロンカッタ６が摩損した場合には、回転ケースが回転している状態で、クラッチ１５の底部１５ｂを地面で殴打（押圧）し、前記スプリング２０の付勢力を解除すると（スプリング２０を圧縮すると）、クラッチ１５の第一突条１６が、ボビン５の第二係止片１３より離脱し、かつこの第二係止片１３と第一係止片１６の隙間Ａに至り、このボビン５がフリーとなり、かつその慣性力で回転（旋回）し、この回転した距離のみ、ナイロンカッタ６が繰出される。そして、クラッチ１５の第一突条１６が、ボビン５の第二係止片１３に係止されることで、このボビン５の慣性力による回転が停止し、ナイロンカッタ６の繰出しが終了する。その後の取扱は、前述の通りである。尚、第一係止片１１と、第二係止片１３は、回転方向Ｂにおいて、その位相を異にする構造であり、少なくとも、この位相分だけ、ボビン５が回転するとともに、貫設力が作用する構造である。また、前記殴打を継続することで、ナイロンカッタ６の繰出し長さを調整できる。
【００４７】
また、カバー２２の取外し、又はボビン５の取外し及び／又はナイロンカッタ６の補充を考慮した場合の操作は、カバー２２を回転し、カバー２２に設けた引掛け片２４の曲面部２４０１を利用する取外し方法がある。この場合は、このカバー２２を、やや強く、円周方向に回転することで、このハウジング１に設けた引掛け穴３の爪部３ａを、カバー２２の引掛け片２４の端部２４００ｂに設けた曲面部２４０１が滑り、及びこの引掛け片２４の外周面２４００ａに反りあがり、かつ軸芯方向に引掛け片２４が撓むとともに、引掛け片２４の爪部２４００ｃが、ハウジング１の引掛け孔３の爪部３ａより脱離し、このカバー２２の取外しが完了する。その後は、前述の如く、ボビン５の取外し及び／又はナイロンカッタ６の補充をする。前述する場合、カバー２２の回転と、引掛け片２４の曲面部２４０１の滑りを利用して、引掛け孔３より脱離する取外し方法であって、簡便で、かつ容易な取外しが可能となり有益である。尚、他の取外し方法としては、カバー２２の引掛け片２４を押圧し、この引掛け片２４を、強制的に撓ませ、この引掛け片２４の爪部２４００ｃを、引掛け孔３の爪部３ａより脱離する方法が考えられる。この場合に、押圧に、力を要することが考えられるが、取外しに問題はない。
【図面の簡単な説明】
【００４８】
【図１】草刈機の全体を示した縮尺斜視図
【図２】草刈機の要部の平面斜視図
【図３−１】図２の分解斜視図
【図３−２】図２の分解平面図
【図４】草刈機の要部と、ナイロンカッタとの関係を示した平面斜視図
【図５】草刈機の要部の裏面斜視図
【図６−１】図５の分解斜視図
【図６−２】図５の分解平面図
【図７−１】草刈機の要部のボビンと、ナイロンカッタとの関係を示した平面斜視図
【図７−２】草刈機の要部のカバー、並びにボビンと、ナイロンカッタとの関係を示した平面斜視図
【図８】引掛け片を示した拡大斜視図
【図９】カバーの環状壁のスリットに嵌着したガイドピースの拡大平面図
【図１０−１】草刈機の要部の断面図であり、ボビンが固定状態で、ナイロンカッタが繰出された状態を示した断面図
【図１０−２】草刈機の要部の断面図であり、ボビンが可動状態で、ナイロンカッタが繰出さる状態を示した断面図
【符号の説明】
【００４９】
１            ハウジング
１ａ          上壁
１ｂ          周壁
１ｃ          内面
２            螺子部
３            引掛け孔
３ａ          爪部
５            ボビン
５ａ          周面部
５ｂ          本体部
５ｃ          上底部
５００        上面
５０１        中間鍔片
５０２        外側鍔片
６            ナイロンカッタ
８            溝
９            貫通孔
９ａ          上部
９ｂ          下部
１１          第一係止片
１２          取付孔
１３          第二係止片
１５          クラッチ
１５ａ        外周面
１５ｂ        底部
１６          第一突条
１７          第二突条
１８          止め螺子
２０          スプリング
２２          カバー
２２ａ        底部
２２００      カバー本体
２３          環状壁
２４          引掛け片
２４００      鍔片
２４００ａ    外周面
２４００ｂ    端部
２４００ｃ    爪部
２４０１      曲面部
２５          ガイドピース
２６          スリット
２７          切欠き部
２８          孔
２８ａ        内周面
３０          係止溝
４０          回転軸
Ａ            隙間
Ｂ            回転方向
Ｍ            草刈機
【図１】
2010119353.tif 000003
【図２】
2010119353.tif 000004
【図３−１】
2010119353.tif 000005
【図３−２】
2010119353.tif 000006
【図４】
2010119353.tif 000007
【図５】
2010119353.tif 000008
【図６−１】
2010119353.tif 000009
【図６−２】
2010119353.tif 000010
【図７−１】
2010119353.tif 000011
【図７−２】
2010119353.tif 000012
【図８】
2010119353.tif 000013
【図９】
2010119353.tif 000014
【図１０−１】
2010119353.tif 000015
【図１０−２】
2010119353.tif 000016